(57)【特許請求の範囲】
【請求項１】
透光性材料からなる透明基板の側端面のうち少なくとも一面に沿って近接配置される棒状の透明材料からなる導光体と、該導光体の両端部のうち少なくとも一方に配置される点状光源とで構成した棒状の光源部を具備して、前記透明基板の側端面に照射され前記透明基板内に導かれた光を、前記透明基板の表面から液晶表示装置の表示部へと供給するサイドライト方式の面状照明装置において、
前記点状光源と前記導光体とを、ハウジングフレームに形成した、前記点状光源の位置決め部である凹部と、前記導光体の位置決め部である平面状座部とで支持し、前記点状光源と前記導光体との位置決め部を、前記ハウジングフレームに比して熱伝導性の高い素材で構成した補強フレームで覆い、
前記点状光源の位置決め部である凹部の底面または壁面に貫通穴を形成して、該貫通穴から、前記補強フレームに形成した凸部を挿入し、該凸部を前記点状光源に当接させたことを特徴とする面状照明装置。
【請求項２】
前記ハウジングフレームに形成された貫通穴と前記ハウジングフレームの側辺とをつなぐ凹溝を設けたことを特徴とする請求項１記載の面状照明装置。
【請求項３】
前記凸部は、球面形状を有することを特徴とする請求項１または２記載の面状照明装置。
【請求項４】
前記ハウジングフレームに形成された貫通穴の、前記補強フレームの嵌め込み方向と直交する方向の寸法を、前記凸部に比して大きく形成したことを特徴とする請求項１から３のいずれか１項記載の面状照明装置。
【請求項５】
前記ハウジングフレームを樹脂で形成し、前記補強フレームを金属で形成したことを特徴とする請求項１から４のいずれか１項記載の面状照明装置。
【発明の詳細な説明】
【０００１】
【発明の属する技術分野】
本発明は、看板や各種表示装置等の照明手段に用いられる面状照明装置に関するものであり、特に液晶表示装置の照明手段として用いられるものである。
【０００２】
【従来の技術】
低消費電力で作動する液晶表示装置は、薄型、軽量等の特徴があるので、主にパーソナルコンピュータや携帯電話用等を中心とした表示装置としての需要が増大している。さて、液晶表示装置の構成部材である液晶は、ブラウン管等の発光型素子と異なり自ら発光しないため、暗所での使用を可能とするための照明手段を、別個に使用することが必要となる。特に、近年の電子製品の薄型化および省電力化の要求の中では、液晶表示装置を照射するための照明手段として、サイドライト方式（導光板方式）の面状照明装置を使用することが多い。
【０００３】
図８には、面状照明装置１の基本的構成部分を示している。面状照明装置１は、透明基板２および棒状の光源部１１を主構成として、透明基板２の下面５を反射型液晶表示素子（図示省略）の表示面に対向配置させるものである。透明基板２の上面６には、透明基板２の一側端面３から入射される棒状の光源部１１の光を、反射型液晶表示素子の表示面に照射させるための光反射パターン７が形成されている。光反射パターン７は、図示の例では、断面形状ほぼ三角形の多数の溝部８及び溝部８に隣接する平坦部９とで構成されている。光反射パターン７は、棒状の光源部１１からの距離に左右されることなく透明基板２の何れの位置においても明るさがほぼ均一になるように、溝部８の形成される間隔が場所によって異なっている。すなわち、平坦部９の幅（占有面積）に対する溝部８の幅（占有面積）の比率は、透明基板２の一側端面３から遠ざかるに従って徐々に大きくなるように設定されている。なお、透明基板２に形成される光反射パターン７の溝部８は、非常に微細であるため、画面の観察においては目視で確認できない。
【０００４】
棒状の光源部１１は、棒状の透明材料からなる導光体１３と、導光体１３の両端部のうち少なくとも一方に配置される点状光源１２とで構成されている。点状光源１２としては発光ダイオードを使用し、さらに透明材料からなる導光体１３は、透明基板２の一側端面３に沿うように配置されるものであり、導光体１３の一方の端部１４に、点状光源１２を近接配置している。一方、導光体１３には、導光体１３の一方に端部１４から入射される点状光源１２の光を、透明基板２の一側端面３にほぼ垂直に入射させるための光路変更手段１５が形成されている。図示の例では、光路変更手段１５は、断面形状ほぼ三角形の凹凸を、導光体１３の長手方向に一定の規則に沿って並べたものである。
【０００５】
また、導光体１３の透明基板２に対向する面以外の長手方向周囲は、光線を高効率で透明基板２内へ導くために、光反射部材（リフレクタ）１６によって覆われている。光反射部材１６は、銀等の金属を蒸着したフィルム、または、白色フィルムまたは白色の塗料を塗布したフィルム等のシート状のもの、もしくは、鏡面加工を施したアルミ板等の金属板を曲げ加工したものを使用している。
【０００６】
このような面状照明装置１を反射型液晶表示素子（図示省略）に付加すると、棒状の光源部１１からの発光光線は、透明基板２の一側端面３から透明基板２の内部へ入射して、その内部で反射・屈折を繰り返しながら対向面１０へ向かって進行する間に、少しづつ透明基板２の下面５から出射することによって、透明基板２に隣接して配置されている反射型液晶表示素子を照射する。さらに、透明基板２には光反射パターン７を形成していることから、下面５からの出射光の量をほぼ均一な分布とすることができる。
【０００７】
また、面状照明装置１は、携帯電話機用等の電子製品の表示装置として、その内部に実際に組み込まれる際には、図９に示すハウジングフレーム２５によって各部品が１つにまとめられ、組立時や分解時の取扱い性の向上等を図っている。ハウジングフレーム２５は、枠状の樹脂成形品であり、透明基板２の位置決め部と点状光源１２（チップ型ＬＥＤ）の位置決め部と、導光体１３の位置決め部とを備えている。図１０には、導光体１３の位置決め部として設けた座部２９に、導光体１３を嵌め込み、かつ、点状光源１２の位置決め部である凹部２８に、点状光源１２を嵌め込んだ状態を示している。
【０００８】
また、面状照明装置１は、ハウジングフレーム２５の、点状光源１２の位置決め部である凹部２８と導光体１３の位置決め部である平面状座部２９を、上面および下面から覆う補強フレーム３２を有している。補強フレーム３２は、図９に点線でその斜視図を、図１１に実線でその断面図を示すように、断面コ字状の部材であり、ステンレススチール等の金属で構成されている。そして、その下方に位置する一辺３２ａは、ハウジングフレーム２５の下面に密着し、補強フレーム３２の上方に位置する一辺３２ｂは、点状光源１２の位置決め部である凹部２８を上方から覆うＦＰＣ３０を、点状光源１２と共に、凹部２８へと押しつけることが可能な形状を有している。
【０００９】
上記構成を有する面状照明装置は、面状照明装置１の主要構成部品である透明基板２、点状光源１２、導光体１３等を、ハウジングフレーム２５によって一体にまとめ、かつ、各部品の位置決めを高精度に行うことが可能である等、面状照明装置として優れた特徴を得ることを可能とするものであり、本出願人によって、特願２００１−２３４８８７明細書に詳細に開示されている。
【００１０】
【発明が解決しようとする課題】
しかしながら、上記構成をなす従来の面状照明装置１は、次のような課題を包含するものであった。ハウジングフレーム２５は、前述のごとく、面状照明装置１の各構成部品の位置精度を高める機能を有している。そして、かかる機能をより高いものとするためには、図１１に示すように、ハウジングフレーム２５の、点状光源１２の位置決め部である凹部２８と、点状光源１２とのクリアランスを極めて小さくすることが望ましい。
【００１１】
しかしながら、かかる構造では、ＬＥＤである点状光源１２は、発光により発熱するものであるにもかかわらず十分な放熱を行うことができず、点状光源１２は次第に温度上昇し（約５０℃程度まで上昇する）、光度を低下させてしまう。そして、点状光源１２の光度の低下は、面状照明装置１の機能を著しく低下させることになる。
また、点状光源１２の熱が、点状光源１２に隣接して配置された導光体１３（図１０参照）に伝わり、アクリル樹脂製の導光体１３を軟化させて、形状変化による光学的特性の低下を招くおそれがあった。
【００１２】
本発明は、上記課題に鑑みてなされたものであり、その目的とするところは、面状照明装置の主要構成部品である点状光源、導光体等を、ハウジングフレームによって一体にまとめ、かつ、各部品の位置決めを高精度に行うことを可能とし、さらに、点状光源の放熱対策を施して、面状照明装置の信頼性を向上させることにある。
【００１３】
【課題を解決するための手段】
上記課題を解決するための、本発明の請求項１に係る面状照明装置は、透光性材料からなる透明基板の側端面のうち少なくとも一面に沿って近接配置される棒状の透明材料からなる導光体と、該導光体の両端部のうち少なくとも一方に配置される点状光源とで構成した棒状の光源部を具備して、前記透明基板の側端面に照射され前記透明基板内に導かれた光を、前記透明基板の表面から液晶表示装置の表示部へと供給するサイドライト方式の面状照明装置において、前記点状光源と前記導光体とを、ハウジングフレームに形成した、前記点状光源の位置決め部である凹部と、前記導光体の位置決め部である平面状座部とで支持し、前記点状光源と前記導光体との位置決め部を、前記ハウジングフレームに比して熱伝導性の高い素材で構成した補強フレームで覆い、前記点状光源の位置決め部である凹部の底面または壁面に貫通穴を形成して、該貫通穴から、前記補強フレームに形成した凸部を挿入し、該凸部を前記点状光源に当接させたことを特徴とするものである。
【００１４】
本発明によれば、面状照明装置の主要構成部品である前記点状光源と前記導光体とを、前記ハウジングフレームによって支持することにより、夫々の位置精度を高め、かつ、前記点状光源に、前記ハウジングフレームに比して熱伝導性の高い素材で構成した補強フレームの一部分を当接させることで、前記点状光源の放熱を促進する。
より具体的には、前記点状光源の位置決め部を、前記ハウジングフレームに形成した凹部により構成し、該凹部に前記点状光源を取りつけることのみによって、必要な組立精度を確実に得ることができる。また、該凹部の底面または壁面に貫通穴を形成して、該貫通穴から、前記補強フレームに形成した凸部を挿入し、該凸部を前記点状光源に当接させることで、前記点状光源の放熱を促進する。
また、前記補強フレームに形成した凸部が前記ハウジングフレームの貫通穴に係合することで、前記ハウジングフレームから前記補強フレームが脱落することを防止する。
【００１５】
また、本発明の請求項２に係る面状照明装置は、請求項１記載の面状照明装置において、前記ハウジングフレームに形成された貫通穴と前記ハウジングフレームの側辺とをつなぐ凹溝を設けたものである。
本発明によれば、前記ハウジングフレームに前記補強フレームを嵌め込む際に、ハウジングフレームに設けた前記凹溝が、前記補強フレームに形成した凸部を案内するガイドとなり、かつ、前記補強フレームの変形量を抑えて、当該嵌め込み作業を容易とすることができる。
【００１６】
また、本発明の請求項３に係る面状照明装置は、請求項１または２記載の面状照明装置において、前記凸部は、球面形状を有することとしたものである。
この構成によれば、前記補強フレームに形成する凸部形状を単純化することができる。
【００１７】
また、本発明の請求項４に係る面状照明装置は、請求項１から３のいずれか１項記載の面状照明装置において、前記ハウジングフレームに形成された貫通穴の、前記補強フレームの嵌め込み方向と直交する方向の寸法を、前記凸部に比して大きく形成したものである。
この構成によれば、前記ハウジングフレームの貫通穴と前記補強フレームの凸部との位置ずれを吸収し、前記ハウジングフレームに対し、前記補強フレームを確実に取り付け、かつ、補強フレームの一部を確実に前記点状光源に接触させることができる。
【００１８】
また、本発明の請求項５に係る面状照明装置は、請求項１から４のいずれか１項記載の面状照明装置において、前記ハウジングフレームを樹脂で形成し、前記補強フレームを金属で形成したものである。
この構成によれば、前記補強フレームの熱伝導性を、前記ハウジングフレームに比して高くすることが可能となり、前記点状光源に、前記補強フレームの一部分を当接させることで、前記ハウジングフレームに固定された前記点状光源の放熱を促進することができる。
【００１９】
【発明の実施の形態】
以下、本発明の実施の形態を添付図面に基づいて説明する。なお、従来技術と同一部分または相当する部分については同一符号で示し、詳しい説明は省略する。
【００２０】
なお、本説明において、「上面」、「下面」、「上方」、「下方」、「後方」、「側方」の用語は、説明の便宜上、本発明の実施の形態に係る面状照明装置の要部断面を示す図１〜図５において、各部材の位置関係を表現するために使用するものである。よって、本発明の実施の形態に係る面状照明装置が、パーソナルコンピュータや携帯電話用等の電子製品内に組み込まれ、実際に使用される時に、例えば、「上面」が必ずしも「下面」の上方にあるということを意味するものではない。
【００２１】
本発明の実施の形態係る面状照明装置１においても、点状光源１２と導光体１３と透明基板２との位置決め部を有するハウジングフレーム２５（図９、図１０参照）が用いられている。図１（ａ）は、本発明の実施の形態に係る面状照明装置１を、ハウジングフレーム２５の、点状光源１２の位置決め部である凹部２８において切断したときの切断面であり、従来技術の図１１に相当するものである。また、図１（ｂ）は図１（ａ）の下面図である。
【００２２】
本発明の実施の形態に係るハウジングフレーム２５には、凹部２８の底面に、貫通穴３３を形成している。また、補強フレーム３２の下方に位置する一辺３２ａに、凸部３４を形成している。図１の例では、凸部３４は球面状の突起である。
【００２３】
図示のごとく、ハウジングフレーム２５に補強フレーム３２を嵌め込むことにより、ハウジングフレーム２５の凹部２８の底面に形成した貫通穴３３に、補強フレーム３２の凸部３４を挿入し、凸部３４を、凹部２８の中の点状光源１２に当接させることができる。なお、補強フレーム３２の凸部３４の突起量は、熱の伝達を確実にするため、ハウジングフレーム２５の貫通穴３３にはまり込んで、点状光源１２に確実に当接し得るものであって、かつ、光軸ズレを防止するために、凸部３４によって点状光源１２の位置ズレが生じないことが必要である。
また、ハウジングフレーム２５の貫通穴３３の、補強フレーム３２の嵌め込み方向と直交する方向の寸法を、図１（ｂ）に示すように、前記凸部に比して大きく形成している。
【００２４】
上記構成をなす本発明の実施の形態によれば、以下のような作用効果を得ることができる。まず、面状照明装置１の主要構成部品である点状光源１２と導光体１３とを、ハウジングフレーム２５によって支持することにより、夫々の位置精度を高めることができる。しかも、点状光源１２に、補強フレーム３２の一部分である突起（凸部３４）を当接させることで、点状光源１２の放熱を促進することができる。補強フレーム３２は、樹脂成形品であるハウジングフレーム２５に比して熱伝導性の高い素材（ステンレススチール等）で構成されているので、点状光源１２の熱を、補強フレーム３２を介して外部へと効率的に放出することができる。
したがって、点状光源１２の温度上昇に起因する光度の低下を防ぎ、また、導光体１３（図９、図１０参照）の軟化を防ぎ、面状照明装置１の信頼性を向上させることができる。
【００２５】
また、ハウジングフレーム２５に形成した凹部２８により点状光源１２の位置決め部を構成していることから、凹部２８に点状光源１２を取りつけることのみによって必要な組立精度を確実に得る。これと共に、凹部２８の底面に貫通穴３３を形成し、貫通穴３３から補強フレーム３２に形成した凸部３４を挿入して、凸部３４を点状光源１２に当接させているので、構造上、点状光源１２の熱が溜まりやすい凹部２８からの放熱を積極的に行うことができる。
また、図１の例では、凸部３４を球面形状とすることで、補強フレーム３２に形成する凸部形状を単純化し、よって、凸部３４を形成する金型の形状も単純化され、金型コストを低減することができる。
【００２６】
さらに、ハウジングフレーム２５の貫通穴３３の、補強フレーム３２の嵌め込み方向と直交する方向の寸法を、凸部３４に比して大きく形成しているので、部品精度等に起因する、ハウジングフレーム２５の貫通穴３３と補強フレーム３２の凸部３４との位置ずれを吸収して、ハウジングフレーム２５に対する補強フレーム３２の取付けを容易かつ確実に行うことが可能となる。また、補強フレーム３２の凸部３４を確実に点状光源１２に接触させることができるので、放熱を確実に行い、面状照明装置の信頼性を向上させることが可能となる。
なお、貫通穴３３の、補強フレーム３２の嵌め込み方向の寸法については、凸部３４とほぼ同一として、補強フレーム３２が脱落する方向のガタの発生を防いでいる。
【００２７】
さて、図２には、本発明の実施の形態に係る面状照明装置１の応用例を示している。図２（ａ）は図１（ａ）に相当する断面図であり、図２（ｂ）は図１（ｂ）に相当する下面図である。
【００２８】
図２の例では、ハウジングフレーム２５に、凹部２８の貫通穴３３とハウジングフレーム２５の側辺（図２（ａ）の右端の縦壁）とをつなぐ凹溝３５を設けている。そして、凹溝３５を設けることにより、ハウジングフレーム２５に補強フレーム３２を嵌め込む際に、ハウジングフレーム２５に設けた凹溝３５が、補強フレーム３２に形成した凸部３４を案内するガイドとして機能し、当該嵌め込み作業を容易とすることができる。また、凹溝３５は、ハウジングフレーム２５に補強フレーム３２を嵌め込む際の、補強フレーム３２の変形量を抑えて、当該嵌め込み作業に要する力を低減し、嵌め込みを容易とすることができる。なお、ハウジングフレーム２５に設けた凹溝３５の幅は、図２に示されているように一定である必要はなく、ガイドとしての機能を更に向上させるために、ハウジングフレーム２５の側辺から貫通穴３３に近づくに従って狭小化するように構成してもよい。
また、補強フレーム３２に形成した球面状の凸部３４の頂部には、点状光源１２との接触面積を大きくするために、平坦部を設けてもよい。
【００２９】
さらに、図３には、図２に示す応用例の、さらに別の応用例を示している。図３（ａ）は図２（ａ）に相当する断面図であり、図３（ｂ）は図２（ｂ）に相当する下面図である。
【００３０】
図３の例においても、ハウジングフレーム２５に、凹部２８の貫通穴３３と側辺とをつなぐ凹溝３５を設け、ハウジングフレーム２５に対する補強フレーム３２の嵌め込み作業の容易化を図っている。加えて、補強フレーム３２の下方に位置する一辺３２ａに、球面状の凸部３４に替えて凸部３６を形成している。凸部３６は、図３（ａ）に示すように一方向に傾斜する突起であり、ハウジングフレーム２５に補強フレーム３２を嵌め込む際の作業性を損なうことなく、凹部２８の貫通穴３３と、補強フレーム３２の凸部３６との当接面積を増やして、補強フレーム３２の抜け止めをより確実に行うものである。
【００３１】
以上のごとく、本発明の実施の形態によれば、図９〜図１１に示す従来の面状照明装置と同様に、ハウジングフレーム２５を用い、点状光源１２と導光体１３と透明基板２とを所定の位置関係で支持することにより、点状光源１２と導光体１３と透明基板２とを、ハウジングフレーム２５の所定の位置決め部に取りつけることのみによって、必要な組立精度を確実に得ることができる。また、各部材を正確に位置決めするための作業性を向上させることができる。かかる効果に加え、ハウジングフレーム２５に嵌め込まれた点状光源１２の放熱を促進することが可能となり、面状照明装置１の信頼性を向上させることが可能となる。
【００３２】
以上の実施例では、何れもハウジングフレーム２５に形成された点状光源位置決め用凹部の底面に貫通穴を形成した場合を説明したが、この形態に限定されるものではない。例えば、図４に示すように、点状光源１２の側面に対向する凹部の壁面（側辺に対応）に貫通穴３７を形成し、補強フレーム３２の後方に位置する一辺３２ｃに、点状光源１２と当接する凸部３８を形成することが可能である。あるいは、図５（図９のＢ−Ｂ線に相当する位置における断面図である）に示すように、点状光源１２の背面に対向する凹部の壁面（図９の右端の縦壁）に貫通穴３９を形成し、補強フレーム３２には側方に位置する一辺３２ｄを形成して、かかる一辺３２ｄに、点状光源１２と当接する凸部４０を形成することも可能である。図５に示す例の場合には、図示は省略するが、ハウジングフレーム２５に、貫通穴３９とハウジングフレーム２５の側辺（図９の後端の縦壁に相当する側辺）とをつなぐ凹溝を設けることとしてもよい。さらに、以上の各例の組合わせであってもよい。
なお、本発明の面状照明装置は、従来技術で説明した反射型液晶表示素子への適用に限定されるものではなく、透過型液晶素子を含めて補助照明手段を要するあらゆる表示装置に適用できるものである。
【００３３】
【実施例】
図６には、本発明（改善品）と従来技術（従来品）とで、ＬＥＤの温度差を示しており、図６（ａ）は、それらの値をまとめた図表を、図６（ｂ）はそれらの値に基づきグラフ化した図を示している。このように、本発明の温度上昇防止効果は顕著である。そして、図７に示すＬＥＤの周囲温度Ｔａ（℃）と相対光度（ａ.ｕ.）との関係のグラフから把握されるように、本発明の相対光度は従来技術に比して高い値となることがわかる。
【００３４】
【発明の効果】
本発明はこのように構成したので、以下のような効果を有する。まず、本発明の請求項１に係る面状照明装置によれば、面状照明装置の主要構成部品である点状光源、導光体等を、ハウジングフレームによって一体にまとめ、かつ、各部品の位置決めを高精度に行うことを可能とし、さらに、点状光源の放熱対策を施して、面状照明装置の信頼性を向上させることが可能となる。
【００３５】
また、本発明の請求項１に係る面状照明装置によれば、必要な組立精度を確実に得ることを可能とし、かつ、前記点状光源の放熱を促進することができる。また、前記ハウジングフレームから前記補強フレームが脱落することを防止して、面状照明装置の信頼性を向上させることができる。
【００３６】
また、本発明の請求項２に係る面状照明装置によれば、前記ハウジングフレームに対する補強フレームの嵌め込み作業を容易として、面状照明装置の信頼性の向上を促進することができる。
また、本発明の請求項３に係る面状照明装置によれば、前記補強フレームの凸部を球面形状とすることで、前記補強フレームに形成する凸部形状を単純化し、よって、凸部を形成する金型の形状も単純化され、金型コストを低減することができる。
【００３７】
また、本発明の請求項４に係る面状照明装置によれば、前記ハウジングフレームの貫通穴と前記補強フレームの凸部との位置ずれを吸収し、前記ハウジングフレームに対し、前記補強フレームを確実に取り付け、かつ、補強フレームの一部を確実に前記点状光源に接触させることができる。よって、面状照明装置の信頼性を向上させることが可能となる。
【００３８】
また、本発明の請求項５に係る面状照明装置によれば、前記点状光源に、前記補強フレームの一部分を当接させることで、前記ハウジングフレームに固定された点状光源の放熱を促進することができる。よって、面状照明装置の信頼性を向上させることが可能となる。
【図面の簡単な説明】
【図１】  本発明の実施の形態に係る面状照明装置を示すものであり、（ａ）はその要部断面図（ｂ）は下面図である。
【図２】  本発明の実施の形態に係る面状照明装置の応用例を示すものであり、（ａ）はその要部断面図（ｂ）は下面図である。
【図３】  本発明の実施の形態に係る面状照明装置の別の応用例を示すものであり、（ａ）はその要部断面図（ｂ）は下面図である。
【図４】  本発明の実施の形態に係る面状照明装置の別の応用例を示す、要部断面図である。
【図５】  本発明の実施の形態に係る面状照明装置の別の応用例を示す、要部断面図である。
【図６】  本発明（改善品）と従来技術（従来品）とのＬＥＤの温度差を示すものであり、（ａ）はそれらの値をまとめた図表を、（ｂ）はそれらの値に基づきグラフ化した図である。
【図７】  ＬＥＤの周囲温度Ｔａ（℃）と相対光度（ａ.ｕ.）との関係を示すグラフである。
【図８】  従来の面状照明装置の、基本的構成部分を示す分解斜視図である。
【図９】  従来の面状照明装置の要部を示す斜視図である。
【図１０】  従来の面状照明装置の、図９と同じ部分を、別方向から見た斜視図である。
【図１１】  図９のＡ−Ａ線における断面図である。
【符号の説明】
１  面状照明装置
１２  点状光源
１３  導光体
２５  ハウジングフレーム
２８  凹部
２９  座部
３０  ＦＰＣ
３２  補強フレーム
３２ａ  下方に位置する一辺
３２ｂ  上方に位置する一辺
３２ｃ  後方に位置する一辺
３２ｄ  側方に位置する一辺
３３、３７、３９  貫通穴
３４、３６、３８、４０  凸部（突起）
３５  凹溝
【図１】
0003882163.tif 000002
【図２】
0003882163.tif 000003
【図３】
0003882163.tif 000004
【図４】
0003882163.tif 000005
【図５】
0003882163.tif 000006
【図６】
0003882163.tif 000007
【図７】
0003882163.tif 000008
【図８】
0003882163.tif 000009
【図９】
0003882163.tif 000010
【図１０】
0003882163.tif 000011
【図１１】
0003882163.tif 000012